(57)【要約】【課題】スノーボードの初心者にありがちな後傾姿勢を直すことのできるスノーボード練習用具を提供する。【解決手段】ボードＢの先端または後端に取着される取着具２０と、該取着具２０に一端側が連結され、スノーボードの練習者の手に他端側が把持される紐具３０とを備えることを特徴とするスノーボード練習用具１０。また、ボードＢの先端または後端に取着される取着具２０と、該取着具２０に一端側が連結され、スノーボードの練習者の腰に他端側が連結される紐具３０とを備えることを特徴とするスノーボード練習用具１０。【選択図】図５
2008253414.tif 000002
【特許請求の範囲】
【請求項１】
ボードの先端または後端に取着される取着具と、
該取着具に一端側が連結され、スノーボードの練習者の手に他端側が把持される紐具と
を備えることを特徴とするスノーボード練習用具。
【請求項２】
ボードの先端または後端に取着される取着具と、
該取着具に一端側が連結され、スノーボードの練習者の腰に他端側が連結される紐具と
を備えることを特徴とするスノーボード練習用具。
【発明の詳細な説明】
【技術分野】
【０００１】
本発明は、スノーボード練習用具に関し、詳しくは、スノーボードの初心者にありがちな後傾姿勢を直してスノーボードを上達させることができるスノーボード練習用具に関するものである。
【背景技術】
【０００２】
一枚のボードに乗って雪面を滑降する競技や遊びであるスノーボードでは、図７に示すように、スノーボードを行う者ＡがボードＢに対して垂直な姿勢でボードを操るのが望ましい。
【０００３】
上記背景技術は、この背景技術が記載された特許文献等を例示するまでもない一般的な事項である。
【発明の開示】
【発明が解決しようとする課題】
【０００４】
しかしながら、ボードに対して垂直な姿勢を保とうとすると、斜面の谷側に体を倒すことになり、スノーボードの初心者では、恐怖心から腰が引けて、図８に示すように、いわゆる「後傾姿勢」になりがちである。特に、急斜面では、谷側の斜面が見るからに急で崖のように感じ、しかもスピードも増すことから、さらに腰が引けて、後傾姿勢になってしまう。
【０００５】
このように、スノーボードの初心者では、後傾姿勢になりがちなのであるが、この後傾姿勢を直すことのできる有効な用具はなく、初心者は、指導者からの指摘を受けて、なんとかして自分で後傾姿勢を直そうとするだけであった。
【０００６】
本発明は、上記実状を鑑みてなされたものであり、スノーボードの初心者にありがちな後傾姿勢を直すことのできるスノーボード練習用具の提供を課題とする。
【課題を解決するための手段】
【０００７】
上記課題を解決するために本発明の採った主要な手段は、
「ボードの先端または後端に取着される取着具と、
該取着具に一端側が連結され、スノーボードの練習者の手に他端側が把持される紐具と
を備えることを特徴とするスノーボード練習用具」
である。
【０００８】
また、
「ボードの先端または後端に取着される取着具と、
該取着具に一端側が連結され、スノーボードの練習者の腰に他端側が連結される紐具と
を備えることを特徴とするスノーボード練習用具」
である。
【０００９】
上記構成のスノーボード練習具を用いてスノーボードを練習することで、以下のように、後傾姿勢を直すことができる。
【００１０】
まず、紐具の他端側がスノーボードの練習者の手に把持されるタイプのものにおいて、図１に示すように、取着具２０をボードＢの後端に取着して、この取着具２０に紐具３０を連結した場合は、練習者Ａにとって、紐具３０の端部を把持することで体が支えられることから、谷側に体を倒す恐怖感が薄れる。また、体を谷側に大きく傾けても前方に転倒しない安心感から、練習者Ａは、前傾姿勢を積極的にとることができる。よって、初心者にありがちな後傾姿勢を直すことができる。
【００１１】
特に、ボードＢに対して垂直となった適正な姿勢の時に紐具３０がピンと張るように紐具３０の長さを調節して、紐具３０が常にピンと張った状態を維持できるように練習すれば、適正な姿勢でのボードＢの操り方を習得することができる。また、紐具３０がピンと張った以上には前傾姿勢がとれないことから、無用な前傾姿勢になることを防止することができる。
【００１２】
次に、紐具の他端側がスノーボードの練習者の手に把持されるタイプのものにおいて、図２に示すように、取着具２０をボードＢの先端に取着して、この取着具２０に紐具３０を連結した場合は、練習者Ａにとって、紐具３０が緩んでいれば後傾姿勢になっていないことがわかり、この姿勢を保つように練習することで、後傾姿勢になることを防止できる。また、紐具３０がピンと張ると、斜面の山側に体をそれ以上に傾けることができないことから、無用に後傾姿勢になることがなく、後傾姿勢になることを、強制的に防止することができる。
【００１３】
特に、ボードＢに対して垂直となった適正な姿勢の時に紐具３０がピンと張るように紐具３０の長さを調節して、紐具３０が常にピンと張った状態を維持できるように練習すれば、適正な姿勢でのボードＢの操り方を習得することができる。
【００１４】
次に、紐具の他端側がスノーボードの練習者の腰に連結されるタイプのものにおいて、図３に示すように、取着具２０をボードＢの後端に取着して、この取着具２０に紐具３０を連結した場合は、練習者Ａにとって、紐具３０の端部が腰に連結されていることで体が支えられることから、谷側に体を倒す恐怖感が薄れる。また、体を谷側に大きく傾けても前方に転倒しない安心感から、練習者Ａは、前傾姿勢を積極的にとることができる。よって、初心者にありがちな後傾姿勢を直すことができる。
【００１５】
特に、ボードＢに対して垂直となった適正な姿勢の時に紐具３０がピンと張るように紐具３０の長さを調節して、紐具３０が常にピンと張った状態を維持できるように練習すれば、適正な姿勢でのボードＢの操り方を習得することができる。また、紐具３０がピンと張った以上には前傾姿勢がとれないことから、無用な前傾姿勢になることを防止することができる。
【００１６】
最後に、紐具の他端側がスノーボードの練習者の腰に連結されるタイプのものにおいて、図４に示すように、取着具２０をボードＢの先端に取着して、この取着具２０に紐具３０を連結した場合は、練習者Ａにとって、紐具３０が緩んでいれば後傾姿勢になっていないことがわかり、この姿勢を保つように練習することで、後傾姿勢になることを防止できる。また、紐具３０がピンと張ると、斜面の山側に体をそれ以上に傾けることができないことから、無用に後傾姿勢になることがなく、後傾姿勢になることを、強制的に防止することができる。
【００１７】
特に、ボードＢに対して垂直となった適正な姿勢の時に紐具３０がピンと張るように紐具３０の長さを調節して、紐具３０が常にピンと張った状態を維持できるように練習すれば、適正な姿勢でのボードＢの操り方を習得することができる。
【発明の効果】
【００１８】
上述した通り、本発明によれば、スノーボードの初心者にありがちな後傾姿勢を直すことのできるスノーボード練習用具を提供することができる。
【発明を実施するための最良の形態】
【００１９】
本発明に係るスノーボード練習用具の実施形態としての一例を、以下、図面に従って詳細に説明する。
【００２０】
図５に示すように、本発明に係るスノーボード練習用具１０は、ボードＢに取着される取着具２０と、この取着具２０に一端側が連結された紐具３０とを具備している。
【００２１】
取着具２０は、上板部２１ａ及び下板部２１ｂを具備するように幅３〜５ｃｍ程度の鋼板をコ字状に折り曲げ成形してなる基台２１と、この基台２１の上板部２１ａに貫通状に螺合された締付けボルト２２と、基台２１の上板部２１ａの上面に突設された連結リング２３とを備えてなり、基台２１の上板部２１ａと下板部２１ｂとの間にボードＢの端部を挿入して、締付けボルト２２と下板部２１ｂとでボードＢを挟持することで、ボードＢに着脱自在に取着されるものである。
【００２２】
ここで、本例では、締付けボルト２２として、頭部が蝶形に形成されたいわゆる「蝶ボルト」を採用している。よって、スパナや六角レンチ等の工具を用いることなく、指によって締付けボルト２２を締付けることができるようにしてある。
【００２３】
また、基台２１の下板部２１ｂの上面（ボードＢの下面に接触する面）には、柔軟なゴム、スポンジや樹脂等から構成された緩衝シート２４が貼着されており、取着具２０をボードＢに取着しても、ボードＢの下面を傷つけないようにしてある。さらに、締付けボルト２２の先端には、上記緩衝シート２４よりは硬いのであるが、ボードＢの表面よりも柔らかい樹脂や木材等から構成された円盤状の押え板２５が取付けられており、取着具２０をボードＢに取着しても、ボードＢの上面を傷つけないようにしてある。
【００２４】
また、本例では、締付けボルト２２と押え板２５とが、相互に回動自在に組付けらており、締付けボルト２２と押え板２５との間の構造が、いわゆる「スイベル構造」となっている。よって、締付けボルト２２を回動させてボードＢを締付けても、押え板２５が回動せず、締付けボルト２２と下板部２１ｂとでボードＢを良好に挟持させることができる。
【００２５】
なお、押え板２５を金属によって形成したり、押え板２５を締付けボルト２２の先端に回動不能に固定的に設けたり、押え板２５を省略することもできる。この場合には、締付けボルト２２の先端とボードＢとに間に、ボードＢの表面よりも柔らかい樹脂や木材等から構成された別途の介在物を介在させればよい。
【００２６】
紐具３０は、紐本体３１と、この紐本体３１の一端側に取付けられた掛止具３２とを具備するものとして構成されている。
【００２７】
紐本体３１は、伸縮不能な帯状の織布やロープ等から構成されており、周知の長さ調節具を用いて、全体の長さが調節可能となっている。
【００２８】
掛止具３２は、フック、シャックル、カラビナ等を用いて構成されており（本例では、フックを用いたものを例示する）、取着具２０の連結リング２３に掛けることで、取着具２０に紐具３０を着脱可能に連結させるものである。なお、掛止具３２としてフックを用いる場合には、外止め、いわゆる「ラッチ」を有するフックを用いることで、取着具２０の連結リング２３から掛止具３２が不用意に外れることを防止できる。
【００２９】
また、本例では、紐本体３１と掛止具３２とが、相互に回動自在に組付けられており、紐本体３１と掛止具３２との間の構造が、いわゆる「スイベル構造」となっている。これにより、紐本体３１が捩れても、この捩れが掛止具３２に伝わらないようにしてある。
【００３０】
ところで、紐具３０の他端側は、スノーボード練習用具１０のタイプ別に、次のように構成されている。
【００３１】
まず、練習者が、紐具３０の他端側を手で把持するタイプのものでは、図６に示すように、紐具３０の他端側に、把持具３３が設けられる。
【００３２】
把持具３３は、紐本体３１の他端に連結されたループ状の環状紐３４を有するものであり、練習者は、環状紐３４に手を通して環状紐３４を握ることで、紐具３０の他端側をしっかりと把持することができる。なお、本例では、環状紐３４が、柔軟なゴムや樹脂等に構成されたチューブ３５に挿通されており、練習者は、このチューブ３５を握ることで、環状紐３４が手に食い込むことなく、環状紐３４を握ることができるようにしてある。
【００３３】
このように構成されたスノーボード練習用具１０は、図１に示すように、取着具２０をボードＢの後端に取着して練習者Ａが紐具３０の他端側を把持することで、この使用態様に応じた練習を行うことができるものである。また、図２に示すように、取着具２０をボードＢの先端に取着して練習者Ａが紐具３０の他端側を把持することで、この使用態様に応じた練習を行うことができるものである。なお、使用態様に応じた練習の詳細は、前述の通りである。
【００３４】
次に、練習者が、紐具３０の他端側を腰に連結するタイプのものでは、紐具３０の他端側に、紐具３０の一端側と同様な掛止具３２を設ければよい。そして、練習者の腰周りに巻回された別途のベルト等に紐具３０の他端側の掛止具３２を掛止させることで、紐具３０の他端側を練習者の腰に着脱可能に連結することができる。
【００３５】
また、上述の例に限らず、紐本体３１の他端側を練習者の腰周りに巻回して結んでもよく、或いは、紐本体３１の他端側に、練習者の腰周りに巻回されるベルトを一体的に設けてもよい。
【００３６】
このように構成されたスノーボード練習用具１０は、図３に示すように、取着具２０をボードＢの後端に取着して紐具３０の他端側を練習者Ａの腰に連結することで、この使用態様に応じた練習を行うことができるものである。また、図４に示すように、取着具２０をボードＢの先端に取着して紐具３０の他端側を練習者Ａの腰に連結することで、この使用態様に応じた練習を行うことができるものである。なお、使用態様に応じた練習の詳細は、前述の通りである。
【００３７】
ところで、紐本体３１の両端に掛止具３２を設ける場合、前述したような把持具３３を、紐本体３１とは別途に用意して、紐本体３１の他端側の掛止具３２に着脱可能にすると、紐本体３１の他端側に把持具３３を連結して、紐具３０の他端側を手で把持するタイプのスノーボード練習用具１０としたり、紐本体３１の他端側から把持具３３を外して、紐具３０の他端側を腰に連結するタイプのスノーボード練習用具１０とすることができ、スノーボード練習用具１０の汎用性を向上させることができる。また、紐具３０を、帯状の織布から構成された紐本体３１と、この紐本体３１の両端に夫々スイベル構造を介して取付けられたフック等の掛止具３２とからなるものとすると、紐具３０を、バッグやボードのカバーに取付けることで、バッグやカバーの肩掛けとして用いることができる。
【００３８】
また、紐本体３１の二つ折りや三つ折り等の複数折りした部分を、ワンタッチにて締結及び解除可能な締結具を用いて、紐本体３１の長さを、ワンタッチで複数段階に調節可能とすると、練習時には、紐本体３１の長さを短めに調節して紐本体３１がピンと張った状態で的確な練習を行うことができる一方で、休憩時等において、体が紐具３０に拘束されずにリラックスできるように、ワンタッチで紐本体３１の長さを長くすることができる。
【００３９】
以上、本発明に係るスノーボード練習用具の一例を示したが、本発明に係るスノーボード練習用具は、上述の例に限らず、図示は省略するが、適宜の変更が可能である。
【００４０】
例えば、取着具としては、締付けボルトによりボードに取着されるものに限らず、バックル片の回動によって固定・解除がなされるベルトのバックル構造を適用して、バックル片を回動させることでボードに取着されるものであってもよい。このような構造を採用することで、取着具をボードにワンタッチで取着することができる。
【００４１】
また、取着具と紐具との間に、予め設定された所定の引張力が加われると部材間の連結を解除する適宜の荷重解除具を介在させてもよい。この場合には、練習者が転倒して紐具に多大な引張力が加わると、紐具が取着具から自動的に外れることになる。よって、転倒時に、ボードから延出する紐具が練習者の体に絡みつくことを防止できる。
【図面の簡単な説明】
【００４２】
【図１】本発明に係るスノーボード練習用具の使用態様の一例を示す概略図である。
【図２】本発明に係るスノーボード練習用具の使用態様の一例を示す概略図である。
【図３】本発明に係るスノーボード練習用具の使用態様の一例を示す概略図である。
【図４】本発明に係るスノーボード練習用具の使用態様の一例を示す概略図である。
【図５】本発明に係るスノーボード練習用具の一端側を示す要部側面図である。
【図６】本発明に係るスノーボード練習用具の他端側を示す要部側面図である。
【図７】望ましい姿勢でスノーボードを行う状態を示す概略図である。
【図８】後傾姿勢でスノーボードを行う状態を示す概略図である。
【符号の説明】
【００４３】
Ａ  練習者（スノーボードを行う者）
Ｂ  ボード
１０  スノーボード練習用具
２０  取着具
２１  基台
２１ａ  上板部
２１ｂ  下板部
２２  締付けボルト
２３  連結リング
２４  緩衝シート
２５  押え板
３０  紐具
３１  紐本体
３２  掛止具
３３  把持具
３４  環状紐
３５  チューブ
【図１】
2008253414.tif 000003
【図２】
2008253414.tif 000004
【図３】
2008253414.tif 000005
【図４】
2008253414.tif 000006
【図５】
2008253414.tif 000007
【図６】
2008253414.tif 000008
【図７】
2008253414.tif 000009
【図８】
2008253414.tif 000010